(57)【要約】【課題】本発明の目的は、上述した粉塵などが座面１ｂに蓄積した場合でも、安定して先端工具７の取り替えが可能となる動力工具を提供することである。【解決手段】ギヤカバとパッキングランドを有し、ギヤカバ内に固定された軸受とパッキングランドに固定された軸受に支承されたスピンドルと、スピンドルに固定された傘歯車を有し、スピンドル先端にネジ部を有し、そのネジ部に先端工具を固定する動力工具において、前記傘歯車に穴を設け、前記ギヤカバにはスピンドルの軸中心と平行な穴を設け、ギヤカバの前記穴を貫通するロックピンを有し、前記ロックピンに圧入されたプッシュボタンを有し、前記プッシュボタンと前記ギヤカバの間にお互いを突き放す方向に弾性力を働かせるバネを有するスピンドル固定構造に関して、前記ボタンに面する前記ギヤカバ側の座面に溝を設けたことを特徴とする動力工具により、解決することができる。【選択図】図１
2010269425.tif 000002
【特許請求の範囲】
【請求項１】
ギヤカバとパッキングランドを有し、ギヤカバ内に固定された軸受とパッキングランドに固定された軸受に支承されたスピンドルと、スピンドルに固定された傘歯車を有し、スピンドル先端にネジ部を有し、そのネジ部に先端工具を固定する動力工具において、
前記傘歯車に穴を設け、前記ギヤカバにはスピンドルの軸中心と平行な穴を設け、ギヤカバの前記穴を貫通するロックピンを有し、前記ロックピンに圧入されたプッシュボタンを有し、前記プッシュボタンと前記ギヤカバの間にお互いを突き放す方向に弾性力を働かせるバネを有するスピンドル固定構造に関して、前記ボタンに面する前記ギヤカバ側の座面に溝を設けたことを特徴とする動力工具。
【請求項２】
前記溝に相対する山の先端が丸いことを特徴とする請求項１記載の動力工具。
【請求項３】
前記溝から粉塵を引き出すスライド部品を設けたことを特徴とする請求項１または２記載の動力工具。
【請求項４】
モータと、
前記モータを収容するカバと、
前記カバより突出し、前記カバに回転可能に保持される、先端工具を接続可能なスピンドルと、
前記スピンドルの回転を固定可能なロック部材とを有する動力工具であって、
前記ロック部材は、軸方向に移動可能なロックピンと、前記カバより突出し、前記ロックピンを操作可能なプッシュボタンと、を有し、
前記プッシュボタンに面する前記カバに溝を設けたことを特徴とする動力工具。
【発明の詳細な説明】
【技術分野】
【０００１】
本発明は、動力工具に関する。特に回転可能なスピンドルを固定する構造に関するものである。
【背景技術】
【０００２】
図１に、従来の動力工具である電気グラインダの要部を示す。電気グラインダのスピンドル固定構造では、ギヤカバ１とパッキングランド２を有し、ギヤカバ１内に固定された軸受Ａ３とパッキングランド２に固定された軸受Ｂ４に支承されたスピンドル５と、スピンドル５に固定された傘歯車６を有し、スピンドル５先端にネジ部５ａを有し、そのネジ部５ａに先端工具７を固定する。また、傘歯車６は、穴６ａを有している。ギヤカバ１には、穴１ａと座面１ｂが設けられ、穴１ａを貫通するロックピン８の一端にはプッシュボタン９が圧入されており、座面１ｂに対面している。座面１ｂとプッシュボタン９の間には、バネ１０が存在し、プッシュボタン９をロックピン８とともに座面１ｂから遠ざかる方向にバネ力を発生させている。
【０００３】
以上のような構成によれば、プッシュボタン９を押し込めば、ロックピン８の先端が穴６ａに嵌合することでスピンドル５を固定し、先端工具７が回動しなくなるため、ネジ固定を取り外しやすくすることができる。また、プッシュボタン９を押し込む力を解放すれば、バネ１０のバネ力により自動的にプッシュボタン９の先端が穴６ａから抜け出し、かつ、プッシュボタン９の先端が穴６ａに意図しない時に嵌合することを防止できる。
【先行技術文献】
【特許文献】
【０００４】
【特許文献１】特開２００６―１４２４０６
【発明の概要】
【発明が解決しようとする課題】
【０００５】
前記背景技術に示す構成によれば、座面１ｂに粉塵などが蓄積されると、スピンドル５の固定に必要なロックピン８の可動ストロークが制限され、スピンドルの固定が不可能になる場合があった。この場合、先端工具７の取り替えが不可能になるという不具合を生じさせていた。また、本不具合を解消しようと圧縮空気などで清掃しようとしても、コンクリート粉などの空気中の水分を含んで硬化し易い粉塵の場合、プッシュボタン９と座面１ｂの間で圧縮を受けることでこびりつき易く、清掃も困難となる場合があった。
【０００６】
本発明の目的は、上述した粉塵などが座面１ｂに蓄積した場合でも、安定して先端工具７の取り替えが可能となる動力工具を提供することである。
【課題を解決するための手段】
【０００７】
上記の目的は、ギヤカバとパッキングランドを有し、ギヤカバ内に固定された軸受とパッキングランドに固定された軸受に支承されたスピンドルと、スピンドルに固定された傘歯車を有し、スピンドル先端にネジ部を有し、そのネジ部に先端工具を固定する動力工具において、前記傘歯車に穴を設け、前記ギヤカバにはスピンドルの軸中心と平行な穴を設け、ギヤカバの前記穴を貫通するロックピンを有し、前記ロックピンに圧入されたプッシュボタンを有し、前記プッシュボタンと前記ギヤカバの間にお互いを突き放す方向に弾性力を働かせるバネを有するスピンドル固定構造に関して、前記ボタンに面する前記ギヤカバ側の座面に溝を設けたことを特徴とする動力工具により解決することができる。
【発明の効果】
【０００８】
先端工具交換を容易にし、かつ、粉塵による障害を防止した動力工具を提供することが可能となる。
【図面の簡単な説明】
【０００９】
【図１】従来の電気グラインダの要部平面図
【図２】図１のＡ−Ａ線断面図
【図３】図１の、オンロックボタンを押さない状態を示すＢ−Ｂ線断面図
【図４】図１の、オンロックボタンを押した状態を示すＢ−Ｂ線断面図
【図５】本発明の第１の実施形態を示す電気グラインダの要部平面図
【図６】図５のＡ−Ａ線断面図
【図７】図５の、オンロックボタンを押さない状態を示すＢ−Ｂ線断面図
【図８】図５の、オンロックボタンを押した状態を示すＢ−Ｂ線断面図
【図９】本発明の第２の実施形態を示す電気グラインダの要部平面図
【図１０】図９の、プッシュボタンを取り除いた状態を示す電気グラインダの要部平面図
【図１１】図９の、スライド部材を引き出した状態を示す電気グラインダの要部平面図
【図１２】図９の、プッシュボタンを取り除き、スライド部材を引き出した状態を電気グラインダの要部平面図
【図１３】本発明の第２の実施形態を構成するスライド部材の平面図
【図１４】図１３のＸ方向矢視図
【図１５】図１３のＹ方向矢視図
【発明を実施するための形態】
【実施例１】
【００１０】
図５は、本発明の一実施形態を示す動力工具の一例である電気グラインダ１００の平面図である。電気グラインダ１００は、モータカバ５０とモータカバ５０に固定されるギヤカバ１とを有する。モータカバ５０には、電気モータ５１が収容されている。また、モータカバ５０には図示しない電気コードが接続されており、電気モータ５１に電気を供給可能になっている。
【００１１】
ギヤカバ１はその上面に溝１ｃを有する。また、溝１ｃに相対する山１ｄの上端は丸い先端形状となっている。この溝１ｃ及び山１ｄは、後述するプッシュボタン９に面する部分に設けられている。
【００１２】
図６に図５のＡ−Ａ線断面図を示す。モータカバ５０の内部には、モータ５１が収容されている。また、ギヤカバ１にはパッキングランド２が固定されている。パッキングランド２には軸受Ｂが保持されており、また、ギヤカバ１には軸受Ａが保持されている。スピンドル５は、軸受Ａ及び軸受Ｂの２つにより回転可能に保持されている。パッキングランド２よりスピンドル５の一部が突出するようになっている。なお、モータカバ５０、ギヤカバ１及びパッキングランド２が本発明におけるカバである。
【００１３】
スピンドル５には傘歯車６が固定されている。傘歯車６の上面には穴６ａが設けられている。また、スピンドル５の下端には、ねじ部５ａにより先端工具７である砥石が固定されている。
【００１４】
図７に図５のＢ−Ｂ線断面図を示す。図７及び図５から明らかなように、ギヤカバ１の上面にプッシュボタン９が設けられている。プッシュボタン９の下方には、ロックピン８が設けられており、ロックピン８の軸方向に移動可能になっている。プッシュボタン９を押すことにより、ロックピン８は下方へと移動可能となっている。プッシュボタン９ひゃ、上方へとバネ１０によって付勢されている。なお、スピンドル５とロックピン８はほぼ平行に設けられている。
【００１５】
ギヤカバ１のブッシュボタン９の面する部分には、溝１ｃ及び山１ｄが設けられている。このため、粉塵などが蓄積した場合でも、溝１ｃに粉塵が集積され、プッシュボタン９を押し込んだ場合でも、スピンドル５の固定に必要なロックピン８の可動ストロークが確保され、スピンドルの固定が不可能になることはない。また、溝１ｃにコンクリート粉などの空気中の水分を含んで硬化し易い粉塵が大量に蓄積された場合でも、山１ｄの先端が丸いため、互いの接触面積が小さくなり、プッシュボタン９との間で粉塵が挟まれて圧縮されにくくなり、溝１ｃを圧縮空気で清掃する際にも粉塵の除去を容易にすることが可能となる。
【００１６】
また、図９は本発明の第２の実施形態を示す電気グラインダの要部平面図である。
図９に示すように、溝１ｃにはめ込まれるスライド部材１１が設けられている。図１０にプッシュボタン９を取り除いた図を示す。プッシュボタン９の面する部分にも山１ｄ及びスライド部材１１が設けられている。このため、溝１ｃ上に粉塵が蓄積した場合でも、スライド部品１１の上に粉塵が蓄積されるため、定期的な清掃を行わなかったために、プッシュボタン９の動作に粉塵が影響を及ぼすくらい大量に粉塵が蓄積した場合でも、スライド部品１１を手前に引き出すことで簡単に粉塵をプッシュボタン９の下側からかき出すことができ、かき出した粉塵を簡単に清掃できることから、請求項１および２の構造よりもさらに粉塵の影響を防止する効果を向上させることが可能となる。
【００１７】
なお、本発明の実施例としては、電気モータにより先端工具を駆動するように構成したが、圧縮空気により駆動する動力工具であっても良い。また、ガソリンや軽油を用いるエンジンによって駆動する動力工具であっても良い。
【符号の説明】
【００１８】
１：ギヤカバ  １ａ：穴  １ｂ：座面  １ｃ：溝  １ｄ：山  ２：パッキングランド  ３：軸受Ａ  ４：軸受Ｂ  ５：スピンドル  ５ａ：ネジ部  ６：傘歯車  ６ａ：穴  ７：先端工具  ８：ロックピン  ９：プッシュボタン  １０：バネ  １１：スライド部品  ５０：モータカバ  ５１：モータ
【図１】
2010269425.tif 000003
【図２】
2010269425.tif 000004
【図３】
2010269425.tif 000005
【図４】
2010269425.tif 000006
【図５】
2010269425.tif 000007
【図６】
2010269425.tif 000008
【図７】
2010269425.tif 000009
【図８】
2010269425.tif 000010
【図９】
2010269425.tif 000011
【図１０】
2010269425.tif 000012
【図１１】
2010269425.tif 000013
【図１２】
2010269425.tif 000014
【図１３】
2010269425.tif 000015
【図１４】
2010269425.tif 000016
【図１５】
2010269425.tif 000017